(57)【要約】      （修正有）【課題】撮影レンズの補正データ格納手段を効率的に使用し、補正データの取得回数を減らすことにより、補正データ取得後に実行される撮影処理が開始されるまでの時間を短くする。【解決手段】撮像装置１００の補正データ格納手段１０５に補正データおよびレンズ識別子が格納された後（バッファフル状態）、更に新しいレンズユニット１０１が撮像装置本体に装着された場合、該補正データ格納手段に格納されている複数のレンズユニットに対応するレンズ識別子と、新規に装着されたレンズユニットのレンズ識別子を比較して一致しなかった場合、レンズユニットと撮像装置本体間の通信を開始する。更に該補正データ格納手段更新条件に従って該補正データ格納手段から選ばれた該当領域に該新規に装着されたレンズユニットの補正データ、およびレンズ識別子を格納し、該当領域を更新する。【選択図】図１
2019113642.tif 000002
【特許請求の範囲】
【請求項１】
レンズユニットに保持された該レンズユニット固有の補正データを撮像装置本体に受け取る撮像装置において、撮像装置本体に複数種類のレンズユニット固有の補正データを格納する手段を有し、該格納手段に全て補正データが格納された後（該格納手段の空き領域がなくなった後）、更に新しいレンズユニットが撮像装置本体に装着された場合、該格納手段に格納されているレンズ識別子と、新規に装着されたレンズユニットのレンズ識別子を比較して一致しなかったら、条件に従って該新規に装着されたレンズユニット固有の補正データを撮像装置本体の格納手段に格納する手段を有することを特徴とする撮像装置。
【請求項２】
画像処理で行うためのレンズユニット固有の補正データを格納する格納手段において、該格納手段から該格納手段に格納されている補正データを読み出した回数に基づき、該補正データの使用回数を判定し、該使用回数が最も低い補正データを格納している格納手段の領域を選択する手段を有することを特徴とする請求項１に記載の撮像装置。
【請求項３】
画像処理で行うためのレンズユニット固有の補正データを格納する格納手段において、該補正データの特定期間内の使用回数が最も低い補正データを格納している格納手段の領域を選択する手段を有することを特徴とする請求項１又は請求項２に記載の撮像装置。
【請求項４】
画像処理で行うためのレンズユニット固有の補正データを格納する格納手段において、該補正データを使用した日時が最も古い補正データを格納している格納手段の領域を選択する手段を有することを特徴とする請求項１乃至請求項３の何れか一項に記載の撮像装置。
【請求項５】
画像処理で行うためのレンズユニット固有の補正データを格納する格納手段において、該補正データを使用回数が最も高い日時が最も古い補正データを格納している格納手段の領域を選択する手段を有することを特徴とする請求項１乃至請求項４の何れか一項に記載の撮像装置。
【請求項６】
画像処理で行うためのレンズユニット固有の補正データを格納する格納手段において、撮像装置本体に装着された回数が少ないレンズユニットから取得した補正データを格納している格納手段の領域を選択する手段を有することを特徴とする請求項１乃至請求項５の何れか一項に記載の撮像装置。
【請求項７】
画像処理で行うためのレンズユニット固有の補正データを格納する格納手段において、撮像装置本体に装着された時間最も短いレンズユニットから取得した補正データを格納している格納手段の領域を選択する手段を有することを特徴とする請求項１乃至請求項６の何れか一項に記載の撮像装置。
【請求項８】
画像処理で行うためのレンズユニット固有のレンズ識別子、補正データ、該補正データ量、該補正データ使用回数、該補正データを使用した日時、レンズユニットの撮像装置本体への装着回数、および装着時間を格納する格納手段は不揮発性の格納手段であることを特徴とする請求項１乃至請求項７の何れか一項に記載の撮像装置。
【発明の詳細な説明】
【技術分野】
【０００１】
本発明は、撮像装置の制御方法に関し、特に、撮影した画像に対して補正処理を行う際に使用する補正データ取得方法の技術に関する。
【背景技術】
【０００２】
従来の撮像装置では撮影画像に対し、撮影レンズ固有の特性を補正する補正データはレンズ側に格納されている。撮像装置本体で使用する補正データ（例えば、色収差、歪曲補正データ等）は撮影レンズ装着の度にレンズ側から取得する。例えば、取得手段としてシリアル通信を用いて前記補正データを取得する。補正データを取得後、撮影者の指示（シャッターボタン操作）に従って撮影が開始され、撮影画像に対し、撮影レンズ固有の特性を補正する。
【０００３】
このように補正データを取得後、撮影動作を実行することにより、撮影した画像に対し、撮影レンズ固有の補正を施すことが可能となり、高画質の画像を撮像することができる。
【０００４】
撮影した画像に対し、撮影レンズ固有の特性を補正する補正データの取得方法について、は、特許文献１は、撮影レンズに該撮影レンズ毎に異なるレンズ識別子を有し、撮像装置本体から撮影レンズから該レンズ識別子と補正データを通信手段を用いて受信し、格納手段に格納しておく。該格納手段に格納されているレンズ識別子と撮影レンズ装着後に通信手段を用いて受信したレンズ識別子とが一致しない場合、補正データを通信手段にて撮像装置側に受信する手法を開示している。
【先行技術文献】
【特許文献】
【０００５】
【特許文献１】特開２０１０−２３７５１５号公報
【発明の概要】
【発明が解決しようとする課題】
【０００６】
近年の撮像装置において、撮影レンズ固有の特性を補正する補正データ量は増大し、撮影レンズと撮像装置本体間の通信時間（撮像装置本体が撮影レンズから補正データを取得する時間）も長くなる傾向にある。その結果、補正データを取得後に実行される撮影処理が開始されるまでの時間も長くなる。すなわち、撮影者のシャッターボタン操作を受け付けるまでの時間が長くなる。
【０００７】
特許文献１のように、レンズ識別子を用いて撮影レンズと撮像装置本体間の通信制御を行い、該撮影レンズと撮像装置本体の通信を必要な時にだけ行うことにより、即座に撮影者のシャッターボタン操作を受け付ける方法の場合、新規に撮影レンズを撮像装置本体に装着する度に膨大な補正データを撮影レンズから撮像装置本体に通信する必要があり、その結果、撮影者のシャッターボタン操作を受け付けるまでの時間が長くなってしまう。
【０００８】
撮影者のシャッターボタン操作を即座に受け付けるためには撮影レンズと撮像装置本体の通信を行わなければよい。そのためには撮影レンズから撮像装置本体に取得する補正データを格納する格納手段の容量を大きくすることで複数種類のレンズ固有の特性を補正する補正データを撮像装置本体に保持することができ、撮影レンズと撮像装置本体の通信を実行する必要はなくなる。
【０００９】
しかし、撮像装置本体に撮影レンズ複数種類分の補正データを格納可能な格納手段を確保しても、撮影レンズ交換を頻繁に行う場合、直ぐに該格納手段の容量が満たされてしまい、撮影レンズからの補正データを格納できなくなってしまう（格納手段数Ｎ以上の種類の撮影レンズ装着時、対応できない）。
【００１０】
そこで、本発明の目的は、撮像装置本体に有する補正データを格納する格納手段を制御することにより撮影者のシャッターボタン操作を即座に受け付けることを可能にする手法を提供することにある。
【課題を解決するための手段】
【００１１】
上記の目的を達成するために、本発明に係る撮像装置の制御方法は、
撮影レンズが撮像装置本体に装着されると撮影レンズから取得する補正データ、およびレンズ識別子を格納手段における領域１に格納する。その後、新しい撮影レンズが装着される度に撮影レンズから取得する補正データ、およびレンズ識別子を該格納手段の領域２、領域３に格納する。格納手段の領域１〜３の全てに補正データ、およびレンズ識別子が格納された後（バッファフル状態）、更に新しい撮影レンズが撮像装置本体に装着された場合、格納手段に格納されている複数の撮影レンズに対応するレンズ識別子と、新規に装着された撮影レンズのレンズ識別子を比較して一致しなかった場合、撮影レンズと撮像装置本体間の通信を開始する。更に格納手段更新条件に従って該格納手段の領域１〜３から選ばれた該当領域に該新規に装着された撮影レンズの補正データ、およびレンズ識別子を格納し、該当領域を更新する（該格納手段の領域は３領域には限定しない）。
【発明の効果】
【００１２】
本発明に係る撮像装置の制御方法によれば、撮影レンズ固有の補正データを撮像装置本体に格納する際、撮像装置本体の格納手段を効率的に使用することにより、数種類分の撮影レンズの補正データを格納する領域を確保するだけで良く、撮影レンズと撮像装置本体間の補正データ取得回数（通信回数）を必要最低限実行することができ、その結果、撮影者のシャッターボタン操作を即座に受け付けることができる。
【図面の簡単な説明】
【００１３】
【図１】本発明の実施形態に係る撮像装置の構成例を示すブロック図
【図２】撮像装置の補正データ格納手段におけるデータ格納状態を示す図
【図３】撮像装置の補正データ格納手段におけるデータ格納状態を示す図
【図４】撮像装置の補正データ格納手段におけるデータ格納状態を示す図
【図５】撮像装置の補正データ格納手段におけるデータ格納状態を示す図
【図６】本実施形態に係るフローチャート
【図７】本発明の他の実施形態に係る撮像装置の構成例を示すブロック図
【図８】撮像装置の補正データ格納手段におけるデータ格納状態を示す図
【図９】撮像装置の補正データ格納手段におけるデータ格納状態を示す図
【図１０】撮像装置の補正データ格納手段におけるデータ格納状態を示す図
【発明を実施するための形態】
【００１４】
以下、図面を参照しながら、本発明の実施の形態を詳細に説明する。
【００１５】
図１は、本発明の実施形態に係る撮像装置の構成例を示すブロック図である。
【００１６】
図１において、１００は撮像装置本体であり、被写体を撮像して得られた画像情報を記録媒体に記録するだけでなく、画像情報を記録媒体から再生し、現像処理して表示する機能を有する。
【００１７】
操作部１１０は、ユーザーが撮像装置１００に対して指示を与えるために用いるキーやボタン、タッチパネルなどの入力デバイスを含む。
【００１８】
表示部１１４は、撮像装置１００において、撮影、或いは再生された画像や、メニュー画面、各種情報等を表示するための液晶ディスプレイ（ＬＣＤ）等を含む。
【００１９】
制御部１１１はレンズユニット１０１が撮像装置本体１００に装着されたか否かを判断する。制御部１１１にてレンズユニット１０１が撮像装置本体１００に装着されたと判定した場合、レンズ通信部１０２はレンズユニット１０１からレンズユニット固有の識別子、および撮影した画像に対し、補正処理を施す際に使用する補正データを通信手段を用いて取得する。
【００２０】
レンズユニット１０１から取得した上記補正データ、およびレンズ識別子は補正データ格納手段１０５に格納される。その後、データセレクタ部１０７にて補正データ格納手段１０５に格納されている補正データのうち所望の補正データ（撮像装置本体１００に装着されているレンズユニット１０１から取得したデータ）が選択され、補正データ格納手段１０５から読み出され、補正処理部１１２にてレンズユニット１０１にて撮像され、ＤＤＲ（ＤＯＵＢＬＥ  ＤＡＴＡ  ＲＡＴＥ  ＳＤＲＡＭ）等のメモリ１０９に格納されている画像に対し、該補正データ格納手段１０５から読み出された補正データを用いて最適な補正処理が施される。例えば、画像の周辺部分の倍率色収差などを補正し、色にじみの無い画像に補正する。該補正処理を施された画像は記録媒体１１３に記録される。ここで補正データ格納手段１０５は不揮発性のメモリとする。
【００２１】
レンズユニット１０１から補正データ、およびレンズ固有の識別子等を取得する手段としてシリアル通信で取得する。尚、該補正データ、およびレンズ固有の識別子を取得する手段はシリアル通信以外の手段でもよい。
【００２２】
上記のようにレンズユニット１０１から取得した補正データ、およびレンズ識別子の補正データ格納手段１０５への格納動作について説明する。
【００２３】
取得した補正データ、およびレンズ識別子はスイッチ１０４を経由して補正データ格納手段１０５に格納される。例えば、該レンズ識別子を補正データ格納手段１０５の３つの領域（領域１、領域２、領域３）のうちのいずれかに格納する。
【００２４】
操作部１１０から指示されるユーザーのシャッター操作は上記レンズ識別子と補正データを取得後、有効になる。
【００２５】
レンズユニット１０１から取得したレンズ識別子（レンズ識別子１とする）と格納手段１０５に格納されているレンズ識別子をＩＤ判定部１０６にて比較し、撮像装置本体１００に装着されているレンズユニット１０１から取得したレンズ識別子１が補正データ格納手段１０５に格納されているレンズ識別子と一致しなかった場合、すなわち、撮像装置１００本体に装着されているレンズユニット１０１から取得したレンズ識別子１が撮像装置１００の格納手段１０５になかった場合、格納手段制御部１０３からの指示でスイッチ１０４は格納手段１０５の領域１に接続される。その結果、レンズ識別子１は補正データ格納手段１０５の領域１に格納される。
【００２６】
レンズ識別子１を格納後、レンズユニット１０１から該レンズユニットを用いて撮影した画像に対して補正処理を行う際に使用する固有の補正データを取得する。尚、該レンズ固有の補正データを取得する手段もレンズ識別子と同様にシリアル通信以外の手段でもよい。
【００２７】
取得した補正データ（補正データ１とする）はスイッチ１０４を経由して補正データ格納手段１０５に格納される。該補正データ１は対応するレンズ識別子１を格納している領域と同じ領域に格納される。この場合、領域１に格納される。
【００２８】
このときの補正データ格納手段１０５の状態を図２に示す。
【００２９】
補正データ格納手段１０５の領域１にはレンズ識別子１と補正データ１が格納される。
【００３０】
次にレンズユニット１０１が取り外され、新しいレンズユニット１０１を撮像装置１００に装着し、制御部１１１にて新しいレンズユニット１０１が撮像装置本体１００に装着されたと判定した場合、レンズ通信部１０２はレンズユニット１０１からレンズユニット固有の識別子を取得する。
【００３１】
レンズユニット１０１から取得したレンズ識別子（レンズ識別子２）はスイッチ１０４を経由して補正データ格納手段１０５の３つの領域（領域１、領域２、領域３）のうちのいずれかに格納する。
【００３２】
ここで取得したレンズ識別子２の補正データ格納手段１０５への格納動作について説明する。
【００３３】
レンズユニット１０１から取得した該レンズ識別子２と補正データ格納手段１０５に既に格納されているレンズ識別子をＩＤ判定部１０６にて比較する。
【００３４】
補正データ格納手段１０５の領域１は「レンズ識別子１」が格納されており、補正データとしては「補正データ１」が格納されている。従って、レンズユニット１０１から取得したレンズ識別子２と補正データ格納手段１０５の領域１に格納されているレンズ識別子は一致しない。
【００３５】
格納手段１０５の領域２、および３は何も格納されていない。従ってレンズユニット１０１から取得したレンズ識別子２と補正データ格納手段１０５の領域２、および３に格納されているレンズ識別子は一致しない。
【００３６】
ここで、レンズユニット１０１から取得したレンズ識別子２と補正データ格納手段１０５の領域１に格納されているレンズ識別子１とは一致しないが、領域１に格納されているデータは他のレンズユニットの「レンズ識別子」、「補正データ」である。従って格納手段制御部１０３からの指示でスイッチ１０４は補正データ格納手段１０５の領域２に接続する。その結果、レンズ識別子２は格納手段１０５の領域２に格納される。
【００３７】
レンズ識別子２を格納後、レンズユニット１０１から該レンズユニットを用いて撮影した画像に対して補正処理を行う際に使用する固有の補正データを取得する。
【００３８】
取得した補正データ（補正データ２）はスイッチ１０４を経由して補正データ格納手段１０５に格納される。該補正データ２は対応するレンズ識別子２を格納している領域と同じ領域に格納される。この場合、領域２に格納される。
【００３９】
このときの補正データ格納手段１０５の状態を図３に示す。
【００４０】
補正データ格納手段１０５の領域２にはレンズ識別子２と補正データ２が格納される。
【００４１】
この後、レンズユニット１０１が取り外され、以前装着したレンズユニット１０１を再度、撮像装置本体１００に装着し、制御部１１１にてレンズユニット１０１が撮像装置本体１００に装着されたと判定した場合、レンズ通信部１０２はレンズユニット１０１からレンズユニット固有の識別子を取得する。
【００４２】
レンズユニット１０１から取得した該レンズ識別子（レンズ識別子１）はＩＤ判定部１０６にて補正データ格納手段１０５に格納されているレンズ識別子と比較される。
【００４３】
補正データ格納手段１０５の領域１は「レンズ識別子１」が格納されており、補正データとしては「補正データ１」が格納されている。
【００４４】
補正データ格納手段１０５の領域２は「レンズ識別子２」が格納されており、補正データとしては「補正データ２」が格納されている。
【００４５】
レンズユニット１０１から取得したレンズ識別子１は補正データ格納手段１０５の領域１に格納されている。従って該レンズ識別子１に対応する補正データ１も該領域１に格納されている。この場合、再度、レンズユニット１０１から撮像装置１００に補正データを取得する必要はないので、レンズユニット１０１からのデータ取得処理を停止する。例えば、シリアル通信動作を停止する。
【００４６】
更にレンズユニット１０１が取り外され、新しいレンズユニット１０１を撮像装置本体１００に装着し、制御部１１１にて新しいレンズユニット１０１が撮像装置本体１００に装着されたと判定した場合、レンズ通信部１０２はレンズユニット１０１からレンズユニット固有の識別子を取得する。
【００４７】
レンズユニット１０１から取得したレンズ識別子（レンズ識別子３）はスイッチ１０４を経由して補正データ格納手段１０５の３つの領域（領域１、領域２、領域３）のうちのいずれかに格納する。
【００４８】
ここで取得したレンズ識別子３の補正データ格納手段１０５への格納動作について説明する。
【００４９】
レンズユニット１０１から取得したレンズ識別子３と補正データ格納手段１０５に格納されているレンズ識別子をＩＤ判定部１０６にて比較する。
【００５０】
補正データ格納手段１０５の領域１は「レンズ識別子１」が格納されており、補正データとしては「補正データ１」が格納されている。
【００５１】
補正データ格納手段１０５の領域２は「レンズ識別子２」が格納されており、補正データとしては「補正データ２」が格納されている。
【００５２】
従って、レンズユニット１０１から取得したレンズ識別子３と補正データ格納手段１０５の領域１、および２に格納されているレンズ識別子は一致しない。
【００５３】
格納手段１０５の領域３は何も格納されていない。従ってレンズユニット１０１から取得したレンズ識別子３と補正データ格納手段１０５の領域３に格納されているレンズ識別子は一致しない。
【００５４】
ここで、レンズユニット１０１から取得したレンズ識別子３と補正データ格納手段１０５の領域１、および２に格納されているレンズ識別子１、および２とは一致しないが、領域１、および２に格納されているデータは他のレンズユニットの「レンズ識別子」、「補正データ」である。
【００５５】
従って格納手段制御部１０３からの指示でスイッチ１０４は補正データ格納手段１０５の領域３に接続する。その結果、レンズ識別子３は格納手段１０５の領域３に格納される。
【００５６】
レンズ識別子３を格納後、レンズユニット１０１から該レンズユニットを用いて撮影した画像に対して補正処理を行う際に使用する固有の補正データを取得する。
【００５７】
取得した補正データ（補正データ３）はスイッチ１０４を経由して補正データ格納手段１０５に格納される。該補正データ３は対応するレンズ識別子３を格納している領域と同じ領域に格納される。この場合、領域３に格納される。
【００５８】
このときの補正データ格納手段１０５の状態を図４に示す。補正データ格納手段１０５の領域３にはレンズ識別子３と補正データ３が格納される。
【００５９】
この後、更にレンズユニット１０１が取り外され、新しいレンズユニット１０１を撮像装置本体１００に装着し、制御部１１１にて新しいレンズユニット１０１が撮像装置本体１００に装着されたと判定した場合、レンズ通信部１０２はレンズユニット１０１からレンズユニット固有の識別子を取得する。
【００６０】
レンズユニット１０１から取得したレンズ識別子（レンズ識別子４）はスイッチ１０４を経由して補正データ格納手段１０５の３つの領域（領域１、領域２、領域３）のうちのいずれかに格納する。
【００６１】
ここで取得したレンズ識別子４の補正データ格納手段１０５への格納動作について説明する。
【００６２】
レンズユニット１０１から取得したレンズ識別子４と補正データ格納手段１０５に格納されているレンズ識別子をＩＤ判定部１０６にて比較する。
【００６３】
補正データ格納手段１０５の領域１は「レンズ識別子１」が格納されており、補正データとしては「補正データ１」が格納されている。
【００６４】
補正データ格納手段１０５の領域２は「レンズ識別子２」が格納されており、補正データとしては「補正データ２」が格納されている。
【００６５】
補正データ格納手段１０５の領域３は「レンズ識別子３」が格納されており、補正データとしては「補正データ３」が格納されている。
【００６６】
上記状態は補正データ格納手段１０５の全ての領域にレンズユニット１０１から取得したデータが格納されている状態であり、いわゆる「バッファフル」の状態である。
【００６７】
従って、レンズユニット１０１から取得したレンズ識別子４と補正データ格納手段１０５の領域１、および２、３に格納されているレンズ識別子は一致しない。
更に、補正データ格納手段１０５の全領域には他のレンズユニットから取得した補正データが格納されている。
【００６８】
上記のようにレンズ識別子が一致せず、かつ補正データ格納手段１０５の全領域に他のレンズユニットから取得したレンズ識別子と補正データが格納されている場合、補正データ格納手段１０５に格納されている補正データの使用回数（撮影した画像に対して補正処理を施す際に用いた補正データの使用回数）に応じて該補正データ格納手段１０５における領域を選択する。
【００６９】
ここで、補正データの使用回数は補正データを補正データ格納手段１０５から読み出した回数と等価とする。
【００７０】
アクセス回数カウント部１０８にて補正データ格納手段１０５の３つの領域（領域１、２、３）から補正データを読み出した回数を算出する。
【００７１】
該算出結果において、算出結果の値の最も小さい領域、すなわち補正データを読み出した回数が最も少ない領域を選択し、スイッチ１０４を切り替える。該選択した領域に対し、レンズユニット１０１から取得したレンズ識別子４を格納する。ここでは、領域１からの補正データ読み出し回数が少ないとするとスイッチ１０４を領域１に切り替え、レンズ識別子４を領域１に格納する。
【００７２】
尚、アクセス回数カウント部１０８にて算出した補正データを読み出した回数データは撮像装置１００内の不揮発性のメモリ手段（不図示）に格納しておく。
【００７３】
レンズ識別子４を格納後、レンズユニット１０１から該レンズユニットを用いて撮影した画像に対して補正処理を行う際に使用する固有の補正データを取得する。
【００７４】
取得した補正データ（補正データ４）はスイッチ１０４を経由して補正データ格納手段１０５に格納される。該補正データ４は対応するレンズ識別子４を格納している領域と同じ領域に格納される。この場合、領域１に格納される。
【００７５】
このときの補正データ格納手段１０５の状態を図５に示す。補正データ格納手段１０５の領域１にはレンズ識別子４と補正データ４が格納される（レンズ識別子１と補正データ１が上書きされる）。尚、格納手段の領域は３領域には限定しない。
【００７６】
以上の処理に対するフローチャートを図６に示す。
【００７７】
撮像装置本体１００の電源投入後（Ｓ６００）、制御部１１１にてレンズユニット１０１の装着状態を判定する（Ｓ６０１）。
【００７８】
レンズユニット１０１が撮像装置本体１００に装着されたと判定された場合、レンズ通信部１０２は通信を開始し（Ｓ６０２）、レンズユニット１０１から該レンズユニット固有のレンズ識別子を取得する（Ｓ６０３）。
【００７９】
取得したレンズ識別子と補正データ格納手段１０５に格納されているレンズ識別子をＩＤ判定部１０６にて比較し（Ｓ６０４）、取得したレンズ識別子と補正データ格納手段１０５に格納されているレンズ識別子が一致した場合、レンズ通信部１０２は通信を停止する（Ｓ６０９）。
【００８０】
取得したレンズ識別子と補正データ格納手段１０５に格納されているレンズ識別子をＩＤ判定部１０６にて比較し（Ｓ６０４）、取得したレンズ識別子と補正データ格納手段１０５に格納されているレンズ識別子が不一致の場合、アクセス回数カウント部１０８にて算出した補正データ格納手段１０５の３つの領域（領域１、２、３）から補正データを読み出した回数を判定し（Ｓ６０５）、該判定結果に基づき、セレクタ１０７にて読み出した回数が最も少ない領域を選択する（Ｓ６０６）。
【００８１】
次にレンズ通信部１０２は通信を再開し（Ｓ６０７）、撮影した画像に対して補正処理を行う際に使用する固有の補正データを取得する。ここで高速に該補正データを撮像装置１００に取得するためにバースト通信を行ってもよい。その後、レンズユニット１０１から取得した補正データをレンズ識別子を格納している領域と同じ領域に格納し（Ｓ６０８）、レンズユニット１０１から撮像装置１００に補正データを取得する処理を完了する（Ｓ６１０）。
【００８２】
更に新しいレンズが装着された場合は、上記のフローチャートに基づき、再度、レンズユニット１０１の撮像装置本体１００への装着状態の判定（Ｓ６０１）から行う。
【００８３】
ここでは補正データ格納手段１０５の選択条件（更新条件）として補正データの使用回数を用い、該使用回数算出条件として補正データ格納手段１０５から補正データを読み出した回数としたが、補正データを使用する回数を算出するパラメータとして下記の条件を用いてもよい。
（１）補正データの月間の使用回数が最も少ない補正データ格納している領域。
（２）補正処理を実行した時間が最も短い補正データを格納している領域。
（３）撮影枚数が少ないレンズユニットから取得した補正データを格納している領域。
【００８４】
また、補正データ格納手段１０５の領域選択条件（更新条件）として補正データの使用回数以外に下記条件を用いてもよい。
（１）撮像装置に装着した回数が少ないレンズユニットから取得した補正データを格納している領域。
（２）撮像装置に装着されている時間が短いレンズユニットから取得した補正データを格納している領域。
（３）補正処理に使用した時期が古い補正データを格納している領域。
（４）使用回数が最も多い時期が古い補正データ格納している領域。
【００８５】
（２）、（３）、（４）の場合、補正データ格納手段１０５に格納されている補正データを使用した時期をタイムスタンプとして、該補正データ格納手段１０５に補正データと共に格納しておく。
【００８６】
このように撮像装置において、撮像した画像に対し、補正処理を施す際に用いる補正データの使用回数に応じて該補正データを格納する格納手段を制御することにより、複数のレンズユニットから効率よく、補正データを格納でき、レンズユニットから補正データを取得する回数（例えば、シリアル通信回数）を最小限に抑えることができる。その結果、ユーザーのシャッター操作を有効とする時間の短縮が可能となる。
【００８７】
（その他の実施形態）
本発明における他の実施の形態について説明する。
【００８８】
図７は本発明における他の実施の形態に係る撮像装置の構成例を示すブロック図である。前述の実施例と同じ動作をするものは同一の番号を付している。
【００８９】
レンズユニット１０１は該レンズユニット固有の識別子、および補正データ以外に撮像装置本体１００に該レンズユニット固有の識別子、および補正データを通信手段にて送出する際の通信レート情報、および該補正データのデータ容量情報を有している。
【００９０】
制御部１１１はレンズユニット１０１が撮像装置本体１００に装着されたか否かを判断する。制御部１１１にてレンズユニット１０１が撮像装置本体１００に装着されたと判断した場合、レンズ通信部１０２はレンズユニット１０１からレンズユニット固有の識別子、更に前述の通信レート情報を取得する。
【００９１】
例えば種々のレンズユニット１０１の装着後、補正データ格納手段１０５の全ての領域に該種々のレンズユニット１０１から取得したデータが格納されている状態であり、いわゆる「バッファフル」の状態であるとする。該バッファフル状態の補正データ格納手段１０５の領域１は「通信レート１、補正データ容量１」が格納されており、レンズ識別子、補正データとしては「レンズ識別子１、補正データ１」が格納されている。
【００９２】
補正データ格納手段１０５の領域２は「通信レート２、補正データ容量２」が格納されており、レンズ識別子、補正データとしては「レンズ識別子２、補正データ２」が格納されている。
【００９３】
補正データ格納手段１０５の領域３は「通信レート３、補正データ容量３」が格納されており、レンズ識別子、補正データとしては「レンズ識別子３、補正データ３」が格納されている。
【００９４】
更にレンズユニット１０１から取得したレンズ識別子４を取得した場合、該レンズユニット１０１から取得したレンズ識別子４と補正データ格納手段１０５の領域１、および２、３に格納されているレンズ識別子は一致しない。なおかつ、補正データ格納手段１０５の全領域には他のレンズユニットから取得したレンズ識別子と補正データ、および通信レート情報、補正データ容量が格納されている。
【００９５】
上記のようにレンズ識別子が一致せず、かつ補正データ格納手段１０５の全領域に他のレンズユニットから取得したレンズ識別子と補正データが格納されている場合、レンズユニット１０１の通信レートに応じて該補正データ格納手段１０５における領域を選択する。
【００９６】
レンズ識別子が不一致の場合、通信時間判定部２００にて補正データ格納手段１０５に格納されている通信レート１、および２、３と補正データ容量１、および２、３から通信時間を算出し、算出結果を比較する。比較結果に応じ、補正データ格納手段１０５の領域を選択し、該選択された領域に「通信レート４、補正データ容量４、レンズ識別子４、補正データ４」を格納する。
【００９７】
通信時間の比較により、選択される補正データ格納手段１０５の領域は下記となる。
（１）通信時間１＜通信時間２、３・・・・領域１を選択。
（２）通信時間２＜通信時間１、３・・・・領域２を選択。
（３）通信時間３＜通信時間１、２・・・・領域３を選択。
【００９８】
すなわち、通信時間が最も小さいレンズユニット１０１から取得した補正データを格納している領域が選択され、該選択された領域にレンズユニット１０１から取得した通信レート４、補正データ容量４、レンズ識別子４、補正データ４を格納する。
比較結果が（１）の場合の補正データ格納手段１０５の状態を図８に示す。
比較結果が（２）の場合の補正データ格納手段１０５の状態を図９に示す。
比較結果が（３）の場合の補正データ格納手段１０５の状態を図１０に示す。
尚、格納手段の領域は３領域には限定しない。
【００９９】
このように撮像装置において、撮像した画像に対し、補正処理を施す際に用いる補正データを有するレンズユニットと撮像装置本体の通信時間に応じて、該補正データを格納する格納手段を制御することにより、複数のレンズユニットから効率よく、補正データを格納でき、レンズユニットから補正データを取得する時間を最短にできる。その結果、ユーザーのシャッター操作を有効とする時間の短縮が可能となる。
【符号の説明】
【０１００】
１００  撮像装置本体、１０１  レンズユニット、１０２  レンズ通信部、
１０３  格納手段制御部、１０４  スイッチ、１０５  補正データ格納手段部、
１０６  ＩＤ判定部、１０７  セレクタ、１０８  アクセス回数カウント部、
１０９  ＤＤＲ、１１０  操作部、１１１  制御部、１１２  補正処理／現像部、
１１３  記録媒体、１１４  表示部
【図１】
2019113642.tif 000003
【図２】
2019113642.tif 000004
【図３】
2019113642.tif 000005
【図４】
2019113642.tif 000006
【図５】
2019113642.tif 000007
【図６】
2019113642.tif 000008
【図７】
2019113642.tif 000009
【図８】
2019113642.tif 000010
【図９】
2019113642.tif 000011
【図１０】
2019113642.tif 000012